(57)【要約】【課題】照明器具を施工後であっても、照射方向が広い範囲で調整可能である照明器具を提供することである【解決手段】上下方向に長いスリット窓をもうけてある筒体１と連結体２が上下方向に連結され、筒体内に光源体５が配置され、上下方向の下端部に電源ユニット３２と連結される照明器具であって、光源体５が着脱できるため光源体５の個数が調整可能となる。なお、筒体が上下複数連結され柱状となる可能とすると共に各筒体が軸周りに回動自在となり、光源体の照射方向がスリット窓の上下方向に調整自在となるものであるので、照射方向が、筒体軸周りに全方向に照射でき、また上下方向にも調整可能な照明器具とする。【選択図】図１
2013058463.tif 000002
【特許請求の範囲】
【請求項１】
上下方向に長いスリット窓を備えた筒体と、
この筒体を上下に連結する連結体と、
照射方向がスリット窓となるように筒体内に配置される光源体と、
筒体に内蔵される電源ユニットと、
連結される最上部の筒体の上端開口部を塞ぐ蓋体と、
光源体と電源ユニットとを電気的に接続する電気コードとを具備し、
筒体が上下に複数連結されて柱状に立設可能とすると共に各筒体が軸周りに回動自在となり、光源体の照射方向がスリット窓の上下方向に調整自在となる
ことを特徴とする照明器具。
【請求項２】
筒体のスリット窓の位置が上下の一方側に偏っていることを特徴とする請求項１に記載の照明器具。
【請求項３】
スリット窓に透明カバーが着脱自在になることを特徴とする請求項１及び２に記載の照明器具。
【請求項４】
光源体が連結体に固定され、光源体の照射方向が筒体のスリット窓に位置するように連結体と筒体を位置決めする位置決め手段を具備してなることを特徴とする請求項１に記載の照明器具。
【請求項５】
筒体が軸周りに回動する場合、筒体が１回転で止まるストッパ手段を具備していることを特徴とする請求項１及び４に記載の照明器具。
【請求項６】
筒体が高熱伝導率材で形成されていることを特徴とする請求項１に記載の照明器具。
【発明の詳細な説明】
【技術分野】
【０００１】  本発明は、屋外および室内に利用される照明器具に関する。本発明の照明器具は、例えば庭園、遊歩道等のボラード型の足元照明に利用され、あるいは、展示品、装飾のスポット照明に利用される。
【背景技術】
【０００２】  従来のボラード型照明器具は、光源の照射方向を足元に向け、人の歩行を助ける照明器具として提案されている。照射方向に関して様々な対策が講じられている。例えば、特許文献１に示されているように、ボラード型照明器具は、筒状で複数個の光源を上下に配置され、その光源の照射方向が上下左右に所定の角度範囲内で変えられるものである。
【先行技術文献】
【特許文献】
【０００３】
【特許文献１】  意匠登録第１２９３６５０号
【発明の概要】
【発明が解決しようとする課題】
【０００４】  特許文献１の従来例では、照明器具の照射方向が上下左右３０度程度に限定され、また光源が増減できないものであり、施工後は、その上下左右の調整可能な範囲でしか照射方向を調整できないものであった。本発明の目的は、施工後であっても照射方向が広い範囲で調整可能である照明器具を提供することである。
【課題を解決するための手段】
【０００５】  本発明の請求項１の照明器具は、上下方向に長いスリット窓を備えた筒体と、この筒体を上下に連結する連結体と、照射方向がスリット窓となるように筒体内に配置される光源体と、筒体に内蔵される電源ユニットと、連結される最上部の筒体の上端開口部を塞ぐ蓋体と、光源体と電源ユニットとを電気的に接続する電気コードとを具備し、筒体が上下に複数連結されて柱状に立設可能とすると共に各筒体が軸周りに回動自在となり、光源体の照射方向がスリット窓の上下方向に調整自在となることを特徴とする。【０００６】  本発明の請求項２の照明器具は、筒体のスリット窓の位置が上下の一方側に偏っていることを特徴とする。【０００７】  本発明の請求項３の照明器具は、スリット窓に透明カバーが着脱自在になることを特徴とする。【０００８】  本発明の請求項４の照明器具は、光源体が連結体に固定され、光源体の照射方向が筒体のスリット窓に位置するように連結体と筒体を位置決めする位置決め手段を具備してなることを特徴とする。【０００９】  本発明の請求項５の照明器具は、筒体が軸周りに回動する場合、筒体が１回転で止まるストッパ手段を具備していることを特徴とする。【００１０】  本発明の請求項６の照明器具は、筒体が高熱伝導率材で形成されていることを特徴とする。
【発明の効果】
【００１１】  本発明によれば、筒体が上下に複数連結されて柱状に立設可能とすると共に各筒体が軸周りに回動自在となり、光源体の照射方向がスリット窓の上下方向に調整自在となるので、照射方向が、筒体軸周りに全方向に照射でき、また上下方向にも調整可能な照明器具であり、施工後において、広い範囲で照射方向を調整可能となり、照明器具の施工後における照射方向の調整の不便さを解消できるものである。また、筒体を連結体にて上下方向に連結可能であるので、上下に光源体の個数を増減調節でき、明るさの調整等の照明演出の自由度が高いものである。【００１２】  筒体のスリット窓の位置が上下方向一方に偏っているので、光源体から照射された光は、照射目的物に効率よく照射でき周囲への拡散が少ない照射が出来る。【００１３】  筒体のスリット窓には透明カバーが具備されているので、風雨による光源体への影響が少ないものである。【００１４】  光源体が連結体に固定され、光源体の照射方向が筒体のスリット窓に位置するように連結体と筒体を位置決めする位置決め手段を具備してあるので、筒体の取り付け時に、スリットと光源体との照射方向を容易に一致させることできる。【００１５】  筒体が高熱伝導率材で形成されているので、光源体と電源から生じた熱が筒体に伝わり、効率的に放熱が行われることになる。【００１６】  軸周りに回転、位置決めする場合、筒体を１回転で止められるストッパ機能を具備しているので、筒体の回転による電源コードの破損防止をすることできる。
【図面の簡単な説明】
【００１７】
【図１】  本発明によるボラード型照明器具の一実施例の斜視図を示す。
【図２】  本発明によるボラード型照明器具の他の実施例の斜視図を示す。
【図３】  本発明によるボラード型照明器具の上端部の蓋体７０の側断面図を示す。
【図４】  本発明によるボラード型照明器具の連結体２を示すものであって、（ａ）は正面図、（ｂ）は側断面図＜（ａ）の二点鎖線の断面＞である。
【図５】  本発明によるボラード型照明器具の連結体６を示すものであって、（ａ）は正面図、（ｂ）は側断面図である。
【図６】  本発明によるボラード型照明器具の光源体を連結体に組み合した斜視図を示す。
【図７】  本発明によるボラード型照明器具の光源体の分解断面図を示す。
【図８】  本発明によるボラード型照明器具の筒体１と連結体２の位置決め手段とストッパ手段を表す斜視図を示す。
【図９】  本発明によるボラード型照明器具の他の実施例の側断面図を示す。
【発明を実施するための形態】
【００１８】  本発明の実施形態の照明器具について図面を参照して説明する。
【００１９】  本実施形態の照明器具は、図１、図２に示すように、上下に長いスリット３０が設けられた筒状の筒体１、１間に連結体２が取り付けられ、柱状に形成されているポラード型のものである。図１の実施例は地中に差し込むタイプのものであり、図２の他の実施例は床面等にボルト等で固定されるタイプのものである。
【００２０】  筒体１と連結体２とが交互に連結されて上下方向に柱状に形成され、柱状の下端部には筒体３が連結されている。筒体３と照明器具固定具４と間には連結体６が連結されており、照明器具固定具４は、照明器具最下部の位置に取り付けられることになる。筒体３には電源ユニット３２が内蔵されている。
【００２１】  筒体１および筒体３は、連結体２に取り付けられるように、筒体上部および下部が連結体２の端縁外周の円形形状に合致するように形成されている。即ち、連結体２の端縁部分は筒体１および筒体３の上部または下部の内側に挿入されて、筒体１および筒体３と連結体２とが連結される。筒体１および筒体３は連結体２に対して回動させることができる。
【００２２】  このように、連結体２により筒体１および筒体３は、上下方向に個数を調整できるように連結できるものとなる。
【００２３】  筒体１は、上下の一方側に偏って長手方向にスリット３０が設けられている。スリット３０の内側には光原体５が配置され、スリット３０から筒体１の外側に照射され、光が他に漏れることなく照射できる。そして、筒体１の中心部より上下側のどちらかに偏っているため、筒体１の上下を反対に連結すれば、照射方向を上方向か下方向かに限定でき、光の拡散が少なく、照射対象物に対して集光できより明るく照射できるものである。
【００２４】  照射される光は、筒体１を上下方向に向きを変えることにより、照射方向を上方向または下方向に４５度の照射範囲を選択できる。スリット３０の開口範囲内は水平から上下方向に４５度の回動調整が可能なように設けられている。
【００２５】  筒体１には、光源体５を収納できる大きさとし、最小の大きさを確保するため光源６７にＬＥＤが適しており、好ましくは、筒体１の外寸法は７０ｍｍが適応される。
【００２６】  筒体１は、光源体５の回動調整範囲と筒体１の回動調整範囲を持ち合わすため、好ましくは、高さ１１２ｍｍの高さを有する。
【００２７】  筒体３には、電源ユニット３２が内蔵されている。電源は、ＡＣ電源であっても、蓄電池等さらにＤＣ電源であってもよいものである。電源が交流から直流に交換する場合、取り付け板３１に、ＤＣ電源ユニット３２が取り付けられている。交流電源の場合、取り付け板３１に電気を中継できる端子台が取り付けられている。
【００２８】  筒体３は、光源体５にＬＥＤが用いられた場合、ＬＥＤ電源の容量に応じて複数個取り付けられることが可能である。この場合、取り付け位置は、照明器具の最上部に連結体２を使って取り付けられる。
【００２９】  筒体３は、電源ユニット３２、筒体１の回動調整範囲と連結体６の固定範囲を持ちあわせるため好ましくは１３０ｍｍの高さを有する。
【００３０】  筒体１及び筒体３は、光源体５から放熱される熱を、効率良く外部に逃すため、アルミ等の高熱伝導率材にて形成されている。
【００３１】  照明器具固定具４は、図１のように、照明器具が土壌に設置される場合は、矢じり状もしくは槍状に形成された固定具である。その構造は、溶接構造もしくは引き抜き材で構成されるものである。その照明器具固定具４は、土壌に３０センチ以上差し込まれ転倒防止の機能を有するものである。
【００３２】  照明器具固定具４は、図２のように、コンクリート及びアスファルトの床面に設置する場合、好ましくは、取り付け穴３４が４箇所ある３００ｍｍ角の板厚１０ｍｍの板状の固定金具である。その照明器具固定具４は、床面から立設されているボルト（図示せず）と取り付け穴３４により固定され、転倒防止の機能を有するものである。
【００３３】  照明器具固定具４自体は、図５に示される連結体６に形成されているねじ部５６にボルト１００（図１、図２参照）により取り付けられる。
【００３４】  筒体１のスリット３０には、透明の樹脂製カバー７が取付けられる。これにより、外部からの虫や雨の侵入物を防ぐことが出来る。カバー７は、脱着可能であり、使用状況により選択可能なものである。
【００３５】  本実施形態の照明器具は、図１、図２に示すように、照明器具の最上部には外部からの侵入物を防ぐことの出来る、図３に示す蓋体７０が設けられている。照明器具最上部の筒体１の上端開口部を塞ぐ蓋体７０が具備されているので、連結体２が無く開口部となる筒体３の上端部においても蓋体７０により風雨による光源体への影響が無い。なお、実施例では蓋体７０は別体で形成されているものであるが、蓋体７０と筒体１とを一体形成しても良いものである。
【００３６】  蓋体７０は、筒体１に取り付けられるように円形形状に合致するように形成された突起部７１が設けられている。突起部７１の上部には、筒体１の上端縁に取付けられるように円形形状に合致する鍔部７２が段差をつけて設けられている。
【００３７】  鍔部７２の上面７３は、外部からの雨が外側に流れやすいように凸なる円弧形状となっている。
【００３８】  蓋体７０の突起部７１の中央部には、溝部７４が形成されている。溝部７４の底部は、鍔部７２側が大径であり反対側が小径の傾斜構造である。蓋体７０と筒体１とを連結した際に、筒体１の上端付近に形成されているねじ穴１１１を介して固定用ボルト（図示せず）が螺着され、溝部７４に固定用ボルトが突挿入されると、固定用ボルトの先端が溝部７４の傾斜面を押し付けて、筒体１が鍔部７２方向に引き寄せられる構造となっており、筒体１と蓋体７０とが密着固定されることになる。
【００３９】  蓋体７０は、光源体５から放熱される熱が連結体２の穴部４１通り上昇してくる熱を、効率良く外部に逃すため、アルミ等の高熱伝導率材にて形成されている。
【００４０】  図４に示すように、連結体２は、上下に筒体１および筒体３が取り付けられるよう円形形状に合致するように形成された突起部２１、２２が設けられている。
【００４１】  連結体２の突起部２１、２２の中間部には、筒体１および筒体３の上下方向の位置決め用の鍔部２３が設けられている。鍔部２３は、筒体１および筒体３の筒外形と同じ寸法であり、突起部２１、２２は筒体１および筒体３の筒内形と同じ寸法である。
【００４２】  連結体２の突起部２１、２２と鍔部２３の中間には、溝部２４及び２５が設けられている。溝部２４及び２５は、筒体１もしくは筒体３を取り付けるための固定用のボルトが挿入される溝である。
【００４３】  連結体２の溝部２４及び２５の底部は、前記蓋体７０と同様に、鍔部２３側が小径であり反対側が大径の傾斜構造である。溝部２４及び２５に固定用ボルトが挿入されると筒体１および筒体３が鍔部２３に引き寄せられる構造である。
【００４４】  連結体２の溝部２４には、スリット３０と光源体５の照射方向を固定できる後述する穴部３７が設けられている。
【００４５】  連結体２の中央平面部２６には、光源保持具６６の取り付け出来るねじ部４０が２箇所と、電源コードを通す穴部４１が４箇所設けられる。穴部４１は、光源から発せられる熱を逃がす空気穴にも利用される。また、侵入した雨が下方向に移動できる穴にも利用される。
【００４６】  図５に示すように、連結体６は、筒体３と照明器具固定具４とを連結するものであり、連結体６の上部に筒体３の内径部に添う突起部５０と下部に筒体３の外径部に添う鍔部５１がある。
【００４７】  連結体６の突起部５０の中間部には溝部５２が形成されており、溝部５２の底部は、上述した蓋体７０や連結体２ように、上部側が小径で下部側が大径の斜面構造である。このため、筒体３の固定用ボルトが溝部５２に挿入されると筒体３が鍔部５１に引き寄せられる構造となる。
【００４８】  連結体６の中央平面部５４には、照明器具固定金具４を取り付けるねじ部５５と電源ユニット３２を取り付ける取り付け板３０を固定するねじ部５６とが形成されている。電源コードを通す穴部５７が設けられる。穴部５７は、光源から発せられる熱を逃がす空気穴にも利用される。また、侵入した雨が下方向に移動できる穴にも利用される。
【００４９】  図６に示すように光源体５は、連結体２の上部に位置するように取り付けられる。光源６７に電気を供給するコード６８は、光源体５の下部より取り出され連結体２の穴部４１通り、連結体２の下部に位置する用に取付けられる。コード６８の端末には、電源コネクタ６９が設けられている。上部に連結される光源体５の電源コードは、コード６８から分岐され、連結体２の上部に位置するように取付けられる。
【００５０】  コード６８の先端には、電源コネクタ５９、６９が設けたれ、連結体２、光源５の取付け取外しが容易に行える。ただし、最上部の光源体５は、上部に光源体５が無いため電源コネクタ６９のみの構造となる。
【００５１】  光源体５と保持具６６とは、照射される光を上下に回動調整出来るように、光源体５の中央部に支持部１０８により回動自在に支持される。
【００５２】  光源体５は、筒体１の内部に納まるよう小型化され、光源体５の照射位置とスリットの位置が同一になる位置に取り付けられる。
【００５３】  図７に示すように光源体５は、光を発光する光源６７と光源６７を保持するケース６４と発光した光を集光する反射鏡６０と発熱した熱を逃がすヒートシンク６５と外部からの侵入物を防ぐシールリング部６２と集光した光を調整するフィルター６３とそれらを固定する蓋体６３から構成される。
【００５４】  光源６７は、ＬＥＤ照明もしくは電球が用いられる。小型化するにはＬＥＤの光源が適しているものである。光源６７は、ケース６４の底部に取付けられ保持される。
【００５５】  光源６７から発せられる熱を外部に効率良く放出するため、ケース６４、反射鏡６０、蓋体６３、ヒートシンク６５がアルミ等の高熱伝導率材にて形成される。また、放熱を考慮し、好ましくは、外形寸法３０ｍｍが適用される。
【００５６】  ケース部６４の入り口側では、反射鏡外周部の円形形状と合致するように成形され、ケース６４と反射鏡６０との位置を決めるための段差が設けられている。
【００５７】  反射鏡６０は、光源６７より発光した光を、指向性１０°に調整するため取付けられる。指向性が１０°と狭いため、上下に連結される光源で、１つの対象物を照射出来る照明器具である。
【００５８】  ヒートシンク６５は、ケース６４に取り付けられている光源６７の反対側に設置してある。これによって光源６７から発生られた熱を放熱される。アルミ等の高熱伝導率材にて形成されている
【００５９】  シールリング６２は、蓋体６１、フィルター６３と反射鏡６０の間に位置するように取付けられる。シールリング部６２は、反射鏡に外部からの侵入物による影響をなくすために設けられる。
【００６０】  フィルター６３は、蓋体６１とフィルター６３とシーリング６２、反射鏡６０の間に位置するように取付けられる。フィルター６３は、取り換えることにより、集光した光を円形もしくは長方形等の形状の照射形状に変化出来るものである。
【００６１】  光源体５の蓋体６３は、ケース６４の先端外円周部にあるネジ部と蓋体６３のねじ部１０５、１０６により締め付けられ取り付くため、シーリング６２が変形し、外部からの侵入物を防ぐことが出来る。ねじ部１０５、１０６により締め付けられることでケース６４の段差部と反射鏡６０の段差部が合致し位置を決めている。
【００６２】  図８に示すように連結体２の溝部２４には、溝部２４の底より深い穴部３７が形成されている。穴部３７には、筒体２の端部でスリット３０と反対位置に形成されているねじ孔を通して、位置決め用ボルト１０９が挿入される。そして、深い穴部３７は連結体に固定されている光源体５の照射方向の反対位置に形成されている。位置決め用ボルト１０９が深い穴３７に挿入固定されることで、筒体１のスリット部３０と光源体５の照射方向が、同じとなる位置に確実に繰り返し取付けられる構造である。
【００６３】  位置決め用ボルト１０９は、溝部２４の底部に当たった場合、筒体１の外側に飛び出てしまい、筒体１のスリット部３０と光源体５の照射方向が違うことを知らせる構造でもある。
【００６４】  連結体２の突起部２２は、筒体１及び筒体３の上部の内円周部をガイドに、３６０度回動調整できる構造であり、連結体２の突起部２１と連結される筒体１は常に固定されるものである。連結体２に保持具６６により光源体５が固定されているため、光源体５から照射される方向は連結体２と共に回動し、３６０度回動調整出来ることになる。
【００６５】  光源体５から照射された光の方向を回動調整する場合、筒体１及び筒体３の上端付近に形成されているねじ穴１１１を介して螺着された固定用ボルト１１２を緩めるだけで３６０度の回動調整が出来る構造である。
【００６６】  連結体２を回動調整する場合、３６０度以上回転しないように、連結体２の溝部２５にストッパーピン１１０が設けられている。これにより、筒体１及び筒体３の上端付近に形成されているねじ穴１１１を介して螺着された固定用ボルト１１２がストッパーピン１１０と当たることにより回転を止められる。
【００６７】  ストッパーピン１１０と固定用ボルト１１２により、３６０度以上回転しないため、電源コードの回転による破断を防ぐ事ができる。
【００６８】  筒体が上下複数連結され柱状となることを可能とすると共に各筒体が軸周りに回動自在となり、光源体の照射方向がスリット窓の上下方向に調整自在となるものであるので、照射方向が、筒体軸周りに全方向に照射でき、また上下方向にも調整可能な照明器具である。
【００６９】  照射方向が、筒体軸周りに全方向に照射でき、また上下方向にも調整可能な照明器具であるため、設置後であっても移動することなく照射方向を回動調整することが出来、照射対象物が増えた場合においても筒体１、連結体２、光源体５、筒体３、電源ユニット３２を増設することで対応が可能な照明器具である。
【符号の説明】
【００７０】１、３    筒体
２、６    連結体
４    照明器具保持具
５    光源体
７    カバー
２１、２２、５０、７１    突起部
２３、５１、７２    鍔部
２４、２５、５２、７４    溝部
２６、５４    平面部
３０    スリット
３１    取付け板
３２    電源ユニット
３４    取り付け穴
４０、５５、５６、１０５、１０６    ねじ部
４１、５７    穴部
５９、６９    電源コネクタ
６０    反射鏡
６１、７０    蓋体
６２    シーリング
６３    フィルター
６４    ケース
６５    ヒートシンク
６６    保持具
６７    光源
６８    コード
７３    蓋体上部
１００    取付けボルト
１０８    支持部
１０９、１１２    固定ボルト
１１０    ストッパ
１１１    ねじ穴
【図１】
2013058463.tif 000003
【図２】
2013058463.tif 000004
【図３】
2013058463.tif 000005
【図４】
2013058463.tif 000006
【図５】
2013058463.tif 000007
【図６】
2013058463.tif 000008
【図７】
2013058463.tif 000009
【図８】
2013058463.tif 000010
【図９】
2013058463.tif 000011